(57)【要約】【課題】歯磨剤を容易に吐出できるように、ノズル内部と歯磨剤との間の摩擦力を減少させることができる構造を有するポンプ型歯磨剤容器を提供することを目的とする。【解決手段】本発明は、歯磨剤を充填する充填空間が内部に設けられた容器本体と、前記容器本体内に設けられて歯磨剤を前記容器本体の外部に吐出するポンピング手段と、前記容器本体の上部に位置して前記ポンピング手段と連通するノズルであって、歯磨剤の吐出のための吐出口、及び前記吐出口の内壁に形成された摩擦低減層を備えるノズルと、を含むポンプ型歯磨剤容器を提供する。【選択図】  図１
2016055924.tif 000002
【特許請求の範囲】
【請求項１】
歯磨剤を充填する充填空間が内部に設けられた容器本体と、
前記容器本体内に設けられて歯磨剤を前記容器本体の外部に吐出するポンピング手段と、
前記容器本体の上部に位置して前記ポンピング手段と連通するノズルであって、歯磨剤の吐出のための吐出口、及び前記吐出口の内壁に形成された摩擦低減層を備えるノズルと、
を含むポンプ型歯磨剤容器。
【請求項２】
前記摩擦低減層が、フッ素樹脂またはセラミックス樹脂を含む疎水性薄膜からなることを特徴とする請求項１に記載のポンプ型歯磨剤容器。
【請求項３】
前記摩擦低減層が、シリコーンオイルを含む潤滑性物質からなることを特徴とする請求項１に記載のポンプ型歯磨剤容器。
【請求項４】
前記摩擦低減層が、ナノ突起構造物からなることを特徴とする請求項１に記載のポンプ型歯磨剤容器。
【請求項５】
前記ポンピング手段が、前記容器本体の上端から内部に延設されたシリンダー、及び前記シリンダー内に挿入されて前記ノズルと連動されるピストンユニットを含むことを特徴とする請求項１に記載のポンプ型歯磨剤容器。
【発明の詳細な説明】
【技術分野】
【０００１】
本発明は、ポンプ型歯磨剤容器に関し、より詳しくは、容器内に充填された歯磨剤をポンピングしてノズルを通して吐出する構造を有するポンプ型歯磨剤容器に関する。
【背景技術】
【０００２】
一般に、ペースト状の歯磨剤は、チューブ型の軟質容器に入れられて商品化されるが、このようなチューブ型歯磨剤容器は、歯磨剤の高い粘度のため、場合によっては強い力で容器を押して歯磨剤を絞り出さなければならず、残量を絞り切ることが容易ではないという問題がある。
【０００３】
ペースト状歯磨剤の粘度特性に多くの影響を及ぼす湿潤剤及び保湿剤としては、通常ソルビトール（sorbitol）が使用される。ソルビトールは約７０％の水溶液状態のものが使用されるが、水分の蒸発とともに固体になり易い性質がある。特に、歯磨剤には研磨剤として固形分が含まれるため、空気との接触時に固形化され易い。このような問題に鑑みて最近はシャンプやボディソープなどに広く用いられているポンプ型容器を歯磨剤に適用し、消費者の便宜を図ろうと試みられている。
【０００４】
しかし、従来のポンプ型容器は、外部の空気がノズルを通って自由に容器内部に流れ込める構造であるため、使用時間の経過に従って内容物が乾燥して粘度が高くなり、段々絞り出すのに大きい力が必要となる。乾燥が酷い場合は、ノズルの端部で内容物が固まり、円滑に絞り出せないという問題も生じる。
【発明の概要】
【発明が解決しようとする課題】
【０００５】
本発明は、上記問題点に鑑みてなされたものであり、歯磨剤を容易に吐出できるように、ノズル内部と歯磨剤との間の摩擦力を減少させることができる構造を有するポンプ型歯磨剤容器を提供することを目的とする。
【課題を解決するための手段】
【０００６】
上記の課題を達成するため、本発明によるポンプ型歯磨剤容器は、歯磨剤を充填する充填空間が内部に設けられた容器本体と、前記容器本体内に設けられて歯磨剤を前記容器本体の外部に吐出するポンピング手段と、前記容器本体の上部に位置して前記ポンピング手段と連通するノズルであって、歯磨剤の吐出のための吐出口、及び前記吐出口の内壁に形成された摩擦低減層を備えるノズルと、を含む。
【０００７】
前記摩擦低減層は、フッ素樹脂またはセラミックス樹脂を含む疎水性薄膜で構成することができる。
【０００８】
代案として、前記摩擦低減層はシリコーンオイルを含む潤滑性物質で構成することができる。
【０００９】
他の代案として、前記摩擦低減層はナノ突起構造物で構成することができる。
【００１０】
前記ポンピング手段は、前記容器本体の上端から内部に延設されたシリンダー、及び前記シリンダー内に挿入されて前記ノズルと連動されるピストンユニットを含むことが望ましい。
【発明の効果】
【００１１】
本発明によれば、ノズルの内壁に形成された摩擦低減層が与える潤滑作用によって歯磨剤を円滑に吐出することができる。
【００１２】
したがって、ノズルの入口部分で空気との接触によって歯磨剤が硬くなっても、ポンピングを通じて歯磨剤を容易に外部に吐出することができる。
【００１３】
また、ノズルに小さい力を加えるだけでも容易に歯磨剤が吐出できるため、非常に便利に使用することができる。
【図面の簡単な説明】
【００１４】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００１５】
【図１】本発明の望ましい実施例によるポンプ型歯磨剤容器の要部構成を示した部分拡大断面図である。
【発明を実施するための形態】
【００１６】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００１７】
図１には、本発明の望ましい実施例によるポンプ型歯磨剤容器の要部構成が示されている。
【００１８】
図１を参照すれば、本発明の望ましい実施例によるポンプ型歯磨剤容器は、内容物として歯磨剤が充填される容器本体１０、容器本体１０内に設けられたポンピング手段１３、及びポンピング手段１３と組み合わせられ、内部に摩擦低減層１２ｃが備えられたノズル１２を含む。
【００１９】
容器本体１０は、歯磨剤を充填する充填空間が内部に設けられ、地面に垂直に立てられるように高さ方向の一端部である底面がほぼ扁平な構造を有する。また、容器本体１０は垂直に立てられた状態で容易に転倒しないように、重心を考慮して上狭下広の形状で合成樹脂材から構成される。
【００２０】
ポンピング手段１３は、容器本体１０に設けられて歯磨剤を容器本体１０の外部に吐出する。図示していないが、ポンピング手段１３は容器本体１０の上端から内部に延設されたシリンダー、及び前記シリンダー内に往復摺動自在に挿入されたピストンユニットを含む。ポンピング手段１３を成すシリンダー及びピストンユニットとしては、通常のシャンプ容器などに用いられる部材が採用できるため、詳細な説明は省略する。
【００２１】
ポンピング手段１３の下部にはディープチューブ１３ａが連結され、容器本体１０の底まで長く延びる。
【００２２】
ノズル１２は、ポンピング手段１３のシリンダーと実質的に連設されて歯磨剤吐出部を提供し、それに連結された部分は容器本体１０の上部でキャップ１１を垂直に貫通して昇降自在に設けられ、ポンピング手段１３の駆動のための押しボタンの役割を兼ねる。ノズル１２は垂直下方に作用する外力によって下降してから、バネによる所定の復元力によって元の位置に復帰するように構成される。ノズル１２が昇降するとき、それと連動する前記ポンピング手段１３のピストンユニットが前記シリンダー内で昇降して、ポンピングのための吸入力及び圧縮力を発生させる。
【００２３】
ノズル１２は所定形状のノズル本体１２ａを備え、ノズル本体１２ａの内部には歯磨剤の吐出のための吐出口１２ｂ、及び前記吐出口１２ｂの内壁に形成された摩擦低減層１２ｃが設けられる。
【００２４】
摩擦低減層１２ｃは歯磨剤と直接接触する部分であって、フッ素樹脂またはセラミックス樹脂を含む疎水性薄膜で構成することができる。代案として、摩擦低減層１２ｃはシリコーンオイルを含む潤滑性物質またはナノ突起構造物で構成することができる。
【００２５】
摩擦低減層１２ｃはポンピングによって移動する歯磨剤とノズル１２との間の摩擦を減らし、歯磨剤の粘着を防止する機能を果たす。
【００２６】
摩擦低減層１２ｃの効果は、次のようなテストを通じて確認することができる。すなわち、摩擦低減層１２ｃとして過フッ化化合物（perfluorinated compounds、ＰＦＣｓ）がノズル内にコーティングされたポンプと、コーティングされていないノンコーティングポンプをそれぞれ用いて歯磨剤をポンピングした後、５０℃で２週間放置し、内部で歯磨剤が固まった状態でポンピング強度を測定した。ポンピング強度はドイツＺｗｉｃｋ社のMaterialpruefung（type.1120.20）を使用して測定した。測定の結果、下記の表１に示されたように、コーティング剤によって摩擦力が減少して、内部の固まった歯磨剤が２．６ｋｇｆの小さい力でも吐出可能であることが確認できる。
【００２７】
【表１】
2016055924.tif 000003
【００２８】
上記のような構成を有するポンプ型歯磨剤容器は、容器本体１０内に所定粘度のペースト状歯磨剤を充填して使用する。使用の際はノズル１２を下方に押せば、ポンピング手段１３のピストンがシリンダー内で下降し、歯磨剤がポンピングされる。このとき、歯磨剤はディープチューブ１３ａの下端部に吸い込まれ、ポンピング手段１３、ノズル１２を順に通過して外部に吐出される。
【００２９】
特に、歯磨剤はノズル１２の吐出口１２ｂ内壁に形成された摩擦低減層１２ｃによって摩擦が減少して、容易に外部に吐出される。したがって、ノズル１２の入口部分で空気との接触によって歯磨剤が硬くなっても、歯磨剤を円滑に外部に吐出することができる。
【００３０】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００３１】
１０  容器本体
１１  キャップ
１２  ノズル
１２ａ  ノズル本体
１２ｂ  吐出口
１２ｃ  摩擦低減層
１３  ポンピング手段
１３ａ  ディープチューブ
【図１】
2016055924.tif 000004